(57)【要約】      （修正有）【課題】ポータブル電子装置を磁気吸着板に吸着させるための統合式磁気吸着装置とその磁気吸着板を提供する。【解決手段】磁気吸着板はプレート２０、プレートに取付けた磁気吸着部材１０，２０、送電ユニット１２，２４及び送電する電力ユニット２６からなる。ポータブル電子装置１ａ等と磁気吸着板２ｃの磁気吸着部材は互いに磁気吸着して、ポータブル電子装置を磁気吸着板に位置決めすると共に、両者の送電ユニットを接続して、電力ユニットが送電する電力を利用して、ポータブル電子装置に充電する。磁気吸着板はさらに送信ユニットを設けて、ポータブル電子装置の信号を出力装置に送信して出力する。磁気吸着装置はさらに吸着媒体を含み、ポータブル電子装置を装着して磁気吸着板に吸着させる。吸着面積を拡大するために磁気吸着板の間は互いに連結する。【選択図】図５
0003151940.tif 000002
【実用新案登録請求の範囲】
【請求項１】
ポータブル電子装置を吸着するための磁気吸着板であって、前記ポータブル電子装置には第１磁気吸着部材と第１送信ユニットを設け、前記吸着板は、
プレートと、
前記プレートに取付けて前記第１磁気吸着部材と互いに磁気吸着する第２磁気吸着部材と、
前記プレートに取付けて前記第１送信ユニットに接続するための第２送信ユニットと、
前記磁気吸着板に内蔵若しくは外付けして前記第２送信ユニットが受信した信号を出力する出力装置と、
電力を前記第２送信ユニットと前記出力装置に送電する電力ユニットと、
を含み、前記ポータブル電子装置は前記第１送信ユニットから信号を前記第２送信ユニットへ送信することを特徴とする磁気吸着板。
【請求項２】
前記第２送信ユニット、前記出力装置及び前記電力ユニットに接続する制御ユニットをさらに含み、前記制御ユニットは前記第２送信ユニットが前記出力装置に信号を送信するのを制御し、また、前記電力ユニットが電力を送電するのを制御することを特徴とする請求項1に記載の磁気吸着板。
【請求項３】
前記出力装置は映像表示設備若しくは音声出力装置であることを特徴とする請求項２に記載の磁気吸着板。
【請求項４】
前記ポータブル電子装置はセンサであって、前記センサは環境の変化を検知し、前記出力装置は前記センサが検知した環境の変化に基づいて警告メッセージを出力することを特徴とする請求項３に記載の磁気吸着板。
【請求項５】
前記センサは光センサ、温度センサ、音声センサ又は湿度センサであることを特徴とする請求項４に記載の磁気吸着板。
【請求項６】
前記ポータブル電子装置にはさらに第１送電ユニットを設け、前記吸着板はさらに第２送電ユニットを含んで前記プレートに設置し、前記第１送電ユニットは前記第２送電ユニットに接続し、前記電力ユニットはさらに電力を前記第２送電ユニットに送電することを特徴とする請求項1に記載の磁気吸着板。
【請求項７】
前記第１磁気吸着部材は磁石又は金属であって、前記第２磁気吸着部材と前記第１磁気吸着部材は対応して互いに磁気吸着する磁石又は金属であることを特徴とする請求項1に記載の磁気吸着板。
【請求項８】
前記第２磁気吸着部材は複数個設けて、前記プレートに米の字型に排列して取付けることを特徴とする請求項1に記載の磁気吸着板。
【請求項９】
さらに固定部を含んで、前記プレートに取付けて前記吸着板を固定することを特徴とする請求項1に記載の磁気吸着板。
【請求項１０】
ポータブル電子装置を吸着するための磁気吸着板であって、前記ポータブル電子装置には第１磁気吸着部材と第１送電ユニットを設け、前記吸着板は、
プレートと、
前記プレートに取付けて前記第１磁気吸着部材と互いに磁気吸着する第２磁気吸着部材と、
前記プレートに取付けて前記第１送電ユニットに接続するための第２送電ユニットと、
電力を前記第２送電ユニットに送電する電力ユニットと、
を含み、前記ポータブル電子装置は前記第１送電ユニットから前記送電ユニットから送電される電力を受信することを特徴とする磁気吸着板。
【請求項１１】
前記第１磁気吸着部材は磁石又は金属であって、前記第２磁気吸着部材と前記第１磁気吸着部材は対応して互いに磁気吸着する磁石又は金属であることを特徴とする請求項1０に記載の磁気吸着板。
【請求項１２】
前記第２磁気吸着部材を複数個設けて、前記プレートに米の字型に排列して取付けることを特徴とする請求項1０に記載の磁気吸着板。
【請求項１３】
さらに固定部を含んで、前記プレートに取付けて前記吸着板を固定することを特徴とする請求項1に記載の磁気吸着板。
【請求項１４】
ポータブル電子装置を吸着するための統合式磁気吸着装置であって、
第１磁気吸着部材と収納槽を設けて前記ポータブル電子装置を収納する吸着媒体と、磁気吸着板とを含み、前記磁気吸着板は、
プレートと、
前記プレートに取付けて前記第１磁気吸着部材と互いに磁気吸着する第２磁気吸着部材と、
を含むことを特徴とする統合式磁気吸着装置。
【請求項１５】
前記第１磁気吸着部材は磁石又は金属であって、前記第２磁気吸着部材と前記第１磁気吸着部材は対応して互いに磁気吸着する磁石又は金属であることを特徴とする請求項1４に記載の統合式磁気吸着装置。
【請求項１６】
第１プレートと、前記第１プレートに取付けた第１伝送ユニットを含む第１磁気吸着板と、
第２プレートと、前記第２プレートに取付けて前記第１伝送ユニットに接続する第１接続ユニットと、前記第２プレートに取付けて前記第１接続ユニットに電気的に接続する第２伝送ユニットとを含む第２磁気吸着板と、
からなることを特徴とする統合式磁気吸着装置。
【請求項１７】
前記第１磁気吸着板はさらに電力ユニットを含んで電力を前記第１伝送ユニットに送電することを特徴とする請求項1６に記載の統合式磁気吸着装置。
【請求項１８】
前記第１、第２伝送ユニットは共に送電ユニットであることを特徴とする請求項1７に記載の統合式磁気吸着装置。
【請求項１９】
前記第１接続ユニットは送電線であって、電力を前記第２伝送ユニットに送電することを特徴とする請求項1８に記載の統合式磁気吸着装置。
【請求項２０】
前記第１、第２伝送ユニットは共に送信ユニットであって、前記第１接続ユニットは送信線であることを特徴とする請求項1６に記載の統合式磁気吸着装置。
【請求項２１】
第３プレートと、前記第３プレートに取付けて前記第２伝送ユニットに接続する第２接続ユニットと、前記第３プレートに取付けて前記第２接続ユニットに電気的に接続する第３伝送ユニットとを含む第３磁気吸着板をさらに含むことを特徴とする請求項1６に記載の統合式磁気吸着装置。
【考案の詳細な説明】
【技術分野】
【０００１】
本考案は統合式磁気吸着装置とその磁気吸着板に関し、特に磁性部材で物品を磁気吸着する磁気吸着装置とその磁気吸着板に関する。
【背景技術】
【０００２】
現代人の日常生活において、身につけて持ち歩く携帯電話、ＰＤＡ、映像や音楽といった娯楽を楽しむ音楽プレーヤー、映像プレーヤー、ゲーム機から室内に設えた電子パネル、電子時計、そして最も普及している各種リモコン等に至る各種様々なポータブル電子装置は切り離せないものである。こうしたポータブル電子装置が提供する機能はユーザーの生活面に一層の便利さをもたらすだけでなく、そうした中で多くのものがユーザーが一日たりとて欠くべからざる必需品となっている。例えば、一人のユーザーは２つから３つの異なる携帯電話機やＰＤＡを備えているであろうし、或いは暇つぶしに音楽プレーヤー、ゲーム機を携帯していることであろう。品数が多いことから、効率的に収納整理できなければ紛失しやすく、一旦紛失するとユーザーは大変不便となる。
【０００３】
しかし、ポータブル電子装置を整理、収納する方法は、ユーザー自身が何時もきちんと整理して点検するか、或いは自分でポータブル電子装置を特定の場所に決めて置くかに頼るしかないのが現状である。例えば、携帯電話はいつも卓上に置き、音楽プレーヤーはデイパックに仕舞っておき、家の各種リモコンは同じ引出しに仕舞っておく等々である。然しながら、こうした収納方法はばらばらで統一性に欠け、しかもポータブル電子装置は他の物に隠れてしまって探し難く、さらには他の物に押されて落ちたり壊れたりすることさえある。
【考案の概要】
【考案が解決しようとする課題】
【０００４】
本考案の目的は統合式の磁気吸着装置とその磁気吸着板を提供することにある。
【課題を解決するための手段】
【０００５】
上記の目的を達成するため、本考案のうちの１つの方法に基づき、ポータブル電子装置を吸着するための磁気吸着板を提供する。ポータブル電子装置には第１磁気吸着部材と第１送電ユニットを設ける。磁気吸着板は、プレート、第２磁気吸着部材、第２送電ユニット及び電力ユニットを含む。第２磁気吸着部材と第２送電ユニットはプレートに取付け、電力ユニットは電力を第２送電ユニットに送電する。第２磁気吸着部材と第１磁気吸着部材は互いに磁気吸着して、ポータブル電子装置を磁気吸着板上に位置決めして、第１送電ユニットと第２送電ユニットを接続すると、ポータブル電子装置は第１送電ユニットを介して電力ユニットが送電する電力を受信する。
【０００６】
上記の目的を達成するため、本考案のうちの１つの方法に基づき、ポータブル電子装置を吸着するための磁気吸着板をさらに提供する。ポータブル電子装置には第１磁気吸着部材と第１送信ユニットを設ける。磁気吸着板は、プレート、第２磁気吸着部材、第２送信ユニット、出力装置及び電力ユニットを含む。第２磁気吸着部材と第２送信ユニットはプレートに取付け、出力装置は磁気吸着板に内蔵若しくは外付けし、電力ユニットは電力を第２送信ユニットと出力装置に送電する。第２磁気吸着部材と第１磁気吸着部材は互いに磁気吸着して、ポータブル電子装置を磁気吸着板に位置決めし、第１送信ユニットが第２送信ユニットを接続すると、ポータブル電子装置の信号は第２送信ユニットへ送信されると共に、出力装置から２つの送信ユニットが受信した信号を出力する。
【０００７】
上記の目的を達成するため、本考案のうちの１つの方法に基づき、吸着媒体と磁気吸着板を含む磁気吸着装置を提供する。吸着媒体の一面には第１磁気吸着部材を取付け、他面には収納槽を設け、ポータブル電子装置は収納槽に収納する。磁気吸着板はプレートと第２磁気吸着部材を含む。第１磁気吸着部材と第２磁気吸着部材は互いに磁気吸着して、収納槽に収納されたポータブル電子装置を磁気吸着板上に位置決めする。
【０００８】
上記の目的を達成するため、本考案のうちの１つの方法に基づき、複数の磁気吸着板を含む磁気吸着装置を提供する。複数個の磁気吸着板の間は互いに接続し吸着面積を拡大して電力を共有する。
【図面の簡単な説明】
【０００９】
【図１】本考案が提供する磁気吸着板の実施例の概略図である。
【図２】本考案が提供する磁気吸着板の実施例の概略図である（送電）。
【図３】本考案が提供する磁気吸着板の実施例の概略図である（送信）。
【図４】本考案が提供する磁気吸着板の実施例のブロック図である。
【図５】本考案が提供する磁気吸着板の実施例の概略図である（送電と送信）。
【図６】本考案が提供する統合式磁気吸着装置の実施例の概略図である。
【図７】本考案が提供する磁気吸着板の実施例の側面概略図である。
【図８】本考案が提供する統合式磁気吸着装置の実施例における電源接続の概略図である。
【図９】本考案が提供する統合式磁気吸着装置の実施例における信号接続の概略図である。
【考案を実施するための形態】
【実施例】
【００１０】
本考案は統合式磁気吸着装置とその磁気吸着板を提供して、磁気吸着ユニットがポータブル電子装置を吸着して統合的な収納効果を達成する。さらに詳細な説明と解釈を提供するために、ブロック図と概略図とを併せて下記に解説を行うこととする。
【００１１】
図１は本考案が提供する磁気吸着部材の実施例の概略図を示しており、磁気吸着板２は第１磁気吸着部材１０のポータブル電子装置１を吸着して取付けることができる。磁気吸着板２はプレート２０を含み、プレート２０には第２磁気吸着部材２２を取付け、第２磁気吸着部材２２と第１磁気吸着部材１０を互いに磁気吸着すると、ポータブル電子装置１を磁気吸着板２上に吸着して位置決めすることができる。各種ポータブル電子装置１を磁気吸着板２上に吸着させると、平素辺りに散らばって置かれているリモコン、携帯電話、ＰＤＡ、電子パネル、音楽プレーヤー等のようなポータブル電子装置１を手軽に且つ効率的に一箇所に収納することができる。
【００１２】
第２磁気吸着部材２２は複数個の吸着部材を米の字型に排列して、プレート２０の裏側に取付け、最少の磁気吸着素材で磁気吸着する範囲を最大に分布させる効果を奏する。第１磁気吸着部材１０と第２磁気吸着部材２２は互いに吸着するので、この両者のうちの一つは磁石を、もう一つは鉄片のような磁石に吸着される金属部材を取付けるか、或いは両者共磁石を取付けると、相互に引付けるのに都合がよく、ポータブル電子装置１を磁気吸着板２上に固定する。
【００１３】
図１に示す磁気吸着板２に基づいて、本考案は図２においてさらに磁気吸着板の実施例の概略図を提供する。図２に示す磁気吸着板２ａは第１磁気吸着部材１０を取付けたポータブル電子装置１ｂを吸着して、ポータブル電子装置１ｂを適切に収納し位置決めすることができるほかに、さらに第１送電ユニット１２を有する携帯電話１ａやデジタルパネル１ｃのようなポータブル電子装置が充電できるようにする。
【００１４】
本実施例の磁気吸着板２ａはプレート２０に第２磁気吸着部材２２を取付けるほかに、さらに第２送電ユニット２４と電力ユニット２６をも取付ける。電力ユニット２６は電力を第２送電ユニット２４に送電するが、その送電した電力源は普通の電力やバッテリから供給される。例えば本実施例の電力ユニット２６は送電線とプラグであり、室内の電源コンセントを差し込んで電気を取込み、電力を第２送電ユニット２４に送電する。第１送電ユニット１２を有するポータブル電子装置１ａ又は１ｃが磁気吸着板２ａ上に吸着し、送電線３６を介して第１送電ユニット１２とプレート２０上の第２送電ユニット２４と接続して、電力ユニット２６から送電される普通の電力を利用するか又はバッテリ電源を充電する。
【００１５】
携帯電話１ａを例に取ると、その第１送電ユニット１２は電源スロットで、第２送電ユニット２４は１つないし多数の電源コンセントであり、両者は携帯電話１ａの送電線３６と変圧器を介して携帯電話１ａを充電する。また、デジタルパネル１ｃを例に取ると、第１磁気吸着部材１０と第２磁気吸着部材２２が互いに吸着することを利用して磁気吸着板２ａに固定した後、送電線３６を磁気吸着板２ａの電源コンセントに接続して、電子アルバムを放映する電力が取込まれると、磁気吸着板２ａ上で電子パネル１ｃが放映する写真を鑑賞することができる。こうして、稼動のための電力を必要とするポータブル電子装置１ａ、１ｃ、或いはバッテリ充電が可能なポータブル電子装置１ａ、１ｃが磁気吸着板２ａ上に固定されると必要な電力が供給され、充電用のコンセントを探し求めて電子装置を磁気吸着板２ａから分離する必要がない。
【００１６】
第２送電ユニット２４はプレート２０内に嵌設して、コンセントをプレート２０の表面に取付けて、ポータブル電子装置１ａ、１ｃのプラグを挿入する。
【００１７】
磁気吸着板でポータブル電子装置に必要な電力を提供するほかに、本考案は図３、図４でさらに磁気吸着板の実施例を提供し、磁気吸着板を利用して送信を統合して出力放送する技術方法を説明し、ポータブル電子装置に取付けた第１送信ユニット１４を介して、ポータブル電子装置内のデータや信号を送信したり出力したりする。
【００１８】
本実施例の磁気吸着板２ｂは電力ユニット２６ａを含むほかに、さらにプレート２０上に第２送信ユニット２８を取付けて、磁気吸着板２ｂに内蔵又は外付けする方法によって出力装置３０を設置する。本実施例での電力ユニット２６ａは電池であるので、磁気吸着板２ｂを普通の電力に接続せずとも電力が得られる。また、磁気吸着板２ｂのプレート２０に制御ユニット３２を設置して、電力ユニット２６の送電を制御し、第２送信ユニット２８と出力装置３０の間の送信を制御する（図４参照）。
【００１９】
ポータブル電子装置１ａ又は１ｄの第１送信ユニット１４はＵＳＢ、ｅＳＡＴＡインターフェイス若しくは音源入出力等のインターフェイスポートのうちの一つ又は複数の組合せでもよい。また、第２送信ユニット２８は上記の伝送インターフェイスに対応して互換性の有る接続ポートである。表示画面や音声プレーヤーのような出力装置３０は、図３に示すように、外付け方式を例に取り磁気吸着板２ｂに接続するものの、本例は出力装置３０の設置方法を制限するものではない。当業者は本例を微調整した後、表示画面や音声プレーヤーを内蔵方式で磁気吸着板２ｂ上の適当な位置に設置することができる。
【００２０】
携帯電話１ａを例に取ると、それが磁気吸着板２ｂに吸着すると、送信線３８で第１送信ユニット１４と第２送信ユニット２８を接続し（例：対応するＵＳＢポート）、携帯電話１ａ内に保存している写真やフィルムを信号方式で第２送信ユニット２８に送信すると共に、制御ユニット３２が第２送信ユニット２８の受信した信号を出力装置３０に送信し、例えば表示画面では、携帯電話１ａ内の写真やフィルムを放映する操作をすると、表示画面に展示される。また、音声プレーヤー１ｄ（例：ＭＰ3プレーヤー）を例に取ると、その音源インターフェイス（オーディオの音声挿入孔）のような第１送信ユニット１４を音源伝送線３８に差し込むと、音源インターフェイスポートに対応する第２送信ユニット２８と接続して、制御ユニット３２が音楽プレーヤー内の歌曲を音声プレーヤー（スピーカー）から出力する。
【００２１】
図４では、制御ユニット３２が電力ユニット２６を制御して電力を第２送信ユニット２８と出力装置３０に送電し、電力を取り込んでスムースに稼働させるのと同時に、さらに第２送信ユニット２８を制御してそれと接続するポータブル電子装置を識別すると共に、ポータブル電子装置が送信する信号の種類に基づいて、信号を適当な出力装置３０に送信して出力させる。従って、制御ユニット３２内には、例えば電源管理部材やＵＳＢインターフェイスドライバ、音響効果出力ドライバや映像出力ドライバ等を含む。
【００２２】
本実施例が提供する磁気吸着板２ｂはポータブル電子装置を手軽に収納する効果を達成するほかに、さらに異なる伝送インターフェイスと出力設備を統合し、ポータブル電子装置を傍に遊ばせておく必要がなく、磁気吸着板２ｂを映像と音声又はデータ出力センターとして、データ又は信号の伝達や出力を行う。
【００２３】
図５は本考案が提供する別の磁気吸着板の実施例の概略図で、図５に示すＬＥＤランプや拡声器のように、本実施例における磁気吸着板２ｃは第２送電ユニット２４と第２送信ユニット２８を同時に設置し、プレート２０に内蔵する方式で出力装置３０ａを設置する。電力ユニット２６ａは同時に電力を第２送電ユニット２４と第２送信ユニット２８に送電する（制御ユニット３２を介した制御）。従って、ポータブル電子装置は第２送電ユニット２４に接続して充電をすることができ（例：図示１ａ）、また第２送信ユニット２８に接続して送信することもできる（例：図示１ｅ）。
【００２４】
本実施例で送信するポータブル電子装置１ｅは周囲の環境変化を検知するセンサであり、例えば、光センサ、温度センサ、音声センサ又は湿度センサ等である。センサを第２送電ユニット２４に接続して電力供給後に検知作業を始動すると共に、センサを第２送信ユニット２８に接続して、制御ユニット３２が出力装置３０ａを制御して、センサが環境変化を検知すると、出力装置３０ａは検知結果に基づき警告メッセージを出力する。例えば、センサが室内温度の上昇を検知すると、関連した警告信号を送信して、制御ユニットの制御によりＬＥＤランプが点滅したり拡声器が音を発したりして温度上昇を知らせる。本実施例に基づき変更を行うと、前述の磁気吸着板２ｃはさらに環境安全や保安監視等機能を統合することができる。例えば、音声センサが不明な音声を検知すると、拡声器を介して音声警告を放送する。
【００２５】
一部のポータブル電子装置が磁気吸着部材を設置していない状況を考慮して、本考案はさらに図６で統合式磁気吸着装置の実施例の概略図を示す。
【００２６】
本実施例の統合式磁気吸着装置は磁気吸着板２ｄと吸着媒体４を含む。磁気吸着板２ｄの設置については上記各実施例の記述を参照する。吸着媒体４の一面（正面）にはポータブル電子装置１ａを置くための収納槽４２を設け、他面（背面）には第１磁気吸着部材４０を設けると、第２磁気吸着部材２２と互いに吸着し合って、吸着媒体４と収納槽４２内に収納したポータブル電子装置１ａとを一緒に磁気吸着板２ｄ上に吸着して、電子装置自体が磁気吸着板に吸着できない問題を解決した。第１磁気吸着部材４０は第２磁気吸着部材２２と互いに磁気吸着する磁石又は金属である。
【００２７】
上記各実施例に述べた磁気吸着板にはさらに固定部３４を設けて（図７参照）、磁気吸着板を壁面等の物体５に固定する．例えば、吸着版の背面に粘着テープを貼って物体５の表面に粘着するか、又はフック部を設けて吸着板を壁に掛着するかする。
【００２８】
このほか、上記実施例の図面において、説明の便宜上、第２送電ユニット２４と第２送信ユニット２８を電子装置を吸着する同一面に設けるが、これら伝送ユニットはまた磁気吸着板の側辺にも設けられ、図７の２４ａ、２８ａが示すように、磁気吸着板の外観の整いや美観のほかに、吸着板の吸着面積を増大して、一層多くの電子装置収納することもできる。
【００２９】
磁気吸着板の吸着面積の範囲を拡充するために、プレート上に伝送ユニットを取付けた磁気吸着板は、プレートに取付けた接続ユニットを介して互いに連結して電力や信号ソースを共有することができる。
【００３０】
図８で示した別の統合式磁気吸着装置の実施例の概略図では、磁気吸着板２ｘ、２ｙ、２ｚには何れもプレート上に多数の電源コンセントを含む送電ユニット２４’を設ける。磁気吸着板２ｘの電力ユニット２６は普通の電力が提供する電力を送電し（勿論、電池による電力供給でもよい）、２つの吸着板２ｙは送電線３６をそれぞれプラグを吸着板２ｘの電源コンセントに差し込んで、吸着板２ｘからの電力を取込む。吸着板２ｚはプラグをその中の１つの吸着板２ｙの電源コンセントに差し込み、接続する吸着板２ｙを介して吸着板２ｘからの電力を取込む。電力負荷が許すことを前提に、本実施例の統合式磁気吸着装置は引き続き上記の方式で連結を延ばしていき、さらに多くの吸着面積を提供してポータブル電子装置を収納し、また電力を共用してさらに多くのポータブル電子装置の充電をすることができる。
【００３１】
上記の実施形態は信号による連結に変更することもでき、図９に示すように、磁気吸着板２ｘ’、２ｙ’、２ｚ’は何れもプレート上に送信ユニット２８’を設置する。各磁気吸着板は共に送信線３８を介してその他の吸着板の送信ユニット２８’に連結して送信する。送信ユニット２８’と送信線３８を連結することによって、磁気吸着板２ｘ’に接続した出力装置３０から磁気吸着板２ｚ’上に吸着したポータブル電子装置１ａのデータを出力する。例えば、携帯電話の画像を放映する場合である。
【００３２】
上記各実施例の説明を総合すると、本考案が提供する技術方法は少なくとも下記の効果を達成することができる。
【００３３】
第１に、磁気吸着板を利用して各種ポータブル電子装置を手軽に収納し、電子装置が散逸して紛失したり美観に影響を与えたりする可能性を減らす。
【００３４】
第２に、電力ユニットと送電ユニットを備えた磁気吸着板を利用して、電力を吸着板上の電子装置に供給して、これら電子装置の稼働や充電に必要な電源を提供する。
【００３５】
第３に、送信ユニットを備え制御ユニットが制御する磁気吸着板を利用して、吸着板上の電子装置に保存したデータや信号を、吸着板に内蔵又は外付けした出力装置に伝送して出力すると共に、電子装置が送信する信号に基づいて警告メッセージを出力する。
【００３６】
第４に、吸着媒体と磁気吸着板を含む統合式磁気吸着装置を利用して、吸着部材を取付けていない電子装置をも含む各種電子装置を便利に収納することができる。
【００３７】
第５に、数個の磁気吸着板を接続して、電子装置を磁気吸着する面積や範囲を拡大することができると共に、電力や信ユニットと連結することによって、電力や送信を共有して、さらに多くの電子装置を使用できるようにする。
【００３８】
前述の各実施例が開示した装置、部材等の項目は本考案の実施形態を説明する例示に過ぎず、本考案の適用範囲を限定縮小するためのものではない。その他本考案の精神に適い、本考案の技術方法を実質的に変更しないものについては、何れも本考案の保護の範囲とする。
【符号の説明】
【００３９】
１、１ａ〜ｅ  ポータブル電子装置
１０          第１磁気吸着部材
１２          第１送電ユニット
１４          第１送信ユニット
２、２ａ〜ｄ、２ｘ〜ｚ、２ｘ’〜ｚ’  磁気吸着板    
２０          プレート
２２          第２磁気吸着部材
２４、２４ａ  第２送電ユニット
２４’        送電ユニット
２６、２６ａ  電力ユニット
２８、２８ａ  第２送信ユニット
２８’        送信ユニット
３０、３０ａ  出力装置
３２          制御ユニット
３４          固定部
３６          送電線
３８          送信線
４            吸着媒体
４０          第１磁気吸着部材
４２          収納槽
５            物体
【図１】
0003151940.tif 000003
【図２】
0003151940.tif 000004
【図３】
0003151940.tif 000005
【図４】
0003151940.tif 000006
【図５】
0003151940.tif 000007
【図６】
0003151940.tif 000008
【図７】
0003151940.tif 000009
【図８】
0003151940.tif 000010
【図９】
0003151940.tif 000011